(57)【要約】【課題】ケーシングの高さが高くなるのを抑えつつ、床置型の空気調和機から前方斜め上方に向けて吹き出される調和空気の到達距離を伸ばす。【解決手段】ケーシング２０は、可動フラップ４０の下面４０ａが水平面に対して鋭角に交わる所定の第１姿勢を取るときに、下面４０ａの下側空間ＳＰ１の側方のうち、少なくとも、下面４０ａの側端の中央点ＣＰ１を含む水平面より下の部分である領域Ａｒ１を囲う側壁５２を有する。可動フラップ４０は、可動フラップ４０が上向きの第２姿勢を取るときに、可動フラップ４０の上端が側壁５２の上端よりも高い位置にくるように構成されている。【選択図】図６
2018035967.tif 000002
【特許請求の範囲】
【請求項１】
上方に吹出口を有するケーシング（２０，２０Ａ，２０Ｂ）と、
前記ケーシング内に収納され、上向きに空気を吹き出して上向きの空気流れを形成するファン（９０）と、
前記ファンが形成した上向きの空気流れを前方に向ける下面を有し、前後に回動可能に前記吹出口に配置されている可動フラップ（４０，４０Ａ，４０Ｂ）と
を備え、
前記ケーシング及び／又は前記可動フラップは、前記可動フラップの前記下面が水平面に対して鋭角に交わる所定の第１姿勢を取るときに、前記下面の下側空間の側方のうち、少なくとも、前記下面の側端の中央点を含む水平面より下の部分を囲う側壁（５１，５２，４５，４６）を有し、
前記可動フラップの上端は、前記可動フラップが上向きの第２姿勢を取るときに、前記側壁の上端よりも高くなるように構成されている、床置型の空気調和機。
【請求項２】
前記可動フラップは、前記ファンが形成した上向きの空気流れに対応するために１枚だけ設けられている、
請求項１に記載の床置型の空気調和機。
【請求項３】
前記可動フラップ（４０）は、前記吹出口を塞いだときに前記可動フラップの前記上端と前記吹出口との間に隙間ができる長さに設定されている、
請求項２に記載の床置型の空気調和機。
【請求項４】
前記可動フラップ（４０Ａ）は、上方から見て、前記第１姿勢を取るときに前記吹出口の直上空間の全てを上から覆うように構成されている、
請求項２に記載の床置型の空気調和機。
【請求項５】
前記ファンは、回転軸が前後方向に延びるシロッコファンである、
請求項１から４のいずれか一項に記載の床置型の空気調和機。
【請求項６】
前記ケーシングは、前記可動フラップの後方に設けられ、前記可動フラップが前記第１姿勢を取るときに、少なくとも前記下面の側端の中央点を含む水平面より下の部分を囲う背面壁（５３）を有する、
請求項１から５のいずれか一項に記載の床置型の空気調和機。
【請求項７】
前記可動フラップの所定の前記第１姿勢は、前記下面が水平面に対して２０°で交わるときの姿勢である、
請求項１から６のいずれか一項に記載の床置型の空気調和機。
【発明の詳細な説明】
【技術分野】
【０００１】
本発明は、床置型の空気調和機に関する。
【背景技術】
【０００２】
従来から、空気清浄機などの床置型の空気調和機の中には、特許文献１（特開２０１６−５９８５９号公報）に記載されているように、ケーシングの上方に設けられた吹出口から床置型の空気調和機の前方斜め上方に空気を吹き出すことができるように、複数枚の可動のフラップ吹出口に設けられている。
【発明の概要】
【発明が解決しようとする課題】
【０００３】
しかしながら、特許文献１に記載されているようにフラップよりも周囲の壁が高く、側面から見てフラップが常にケーシングに隠れるように構成されているため、ケーシングが高くなってしまっている。また、特許文献１に記載のフラップには、前方斜め上方に向けて吹き出される空気の到達距離を伸ばす上で未だ改善の余地が残されている。
【０００４】
本発明の課題は、ケーシングの高さが高くなるのを抑えつつ、床置型の空気調和機から前方斜め上方に向けて吹き出される調和空気の到達距離を伸ばすことである。
【課題を解決するための手段】
【０００５】
本発明の第１観点に係る床置型の空気調和機は、上方に吹出口を有するケーシングと、ケーシング内に収納され、上向きに空気を吹き出して上向きの空気流れを形成するファンと、ファンが形成した上向きの空気流れを前方に向ける下面を有し、前後に回動可能に吹出口に配置されている可動フラップとを備え、ケーシング及び／又は可動フラップは、可動フラップの下面が水平面に対して鋭角に交わる所定の第１姿勢を取るときに、下面の下側空間の側方のうち、少なくとも、下面の側端の中央点を含む水平面より下の部分を囲う側壁を有し、可動フラップの上端は、可動フラップが上向きの第２姿勢を取るときに、側壁の上端よりも高くなるように構成されている。
【０００６】
第１観点に係る床置型の空気調和機によれば、可動フラップの下面が水平面に対して鋭角に交わる所定の第１姿勢を取るときに、下面の下側空間の側方のうち、少なくとも、下面の側端の中央点を含む水平面より下の部分を囲う側壁によって、ファンにより形成された上向きの空気流れのうち側方に逃げる空気を減らすことができ、前方に吹き出される空気を遠くまで到達させることができる。可動フラップが上向きの第２姿勢を取るときに、フラップの上端が側壁の上端よりも高くなるように構成されていることから、ケーシングの高さを抑えてコンパクト化し易くなる。
【０００７】
本発明の第２観点に係る床置型の空気調和機は、第１観点に係る床置型の空気調和機において、可動フラップは、ファンが形成した上向きの空気流れに対応するために１枚だけ設けられている、ものである。
【０００８】
第２観点に係る床置型の空気調和機によれば、１枚の可動フラップだけでファンが形成した上向きの空気流れに対応するように構成されているので、複数の可動フラップでファンが吹き出す空気を前方に導く場合に比べて可動フラップ１枚当たりに調和空気の沿う量が多くなるから、前方に強く吹き出させることができ、前方への空気流れの到達距離を伸ばし易くなる。
【０００９】
本発明の第３観点に係る床置型の空気調和機は、第２観点に係る床置型の空気調和機において、可動フラップは、吹出口を塞いだときに可動フラップの上端と吹出口との間に隙間ができる長さに設定されている、ものである。
【００１０】
第３観点に係る床置型の空気調和機によれば、可動フラップが吹出口を塞いだときに可動フラップの上端と吹出口との間に隙間ができる長さに設定されていることから、隙間に例えば指を入れて可動フラップを回動させて開け閉めすることができ、特に可動フラップを手動で回動させる場合には可動フラップを操作し易くなる。
【００１１】
本発明の第４観点に係る床置型の空気調和機は、第２観点に係る床置型の空気調和機において、可動フラップは、上方から見て、第１姿勢を取るときに吹出口の直上空間の全てを上から覆うように構成されている、ものである。
【００１２】
第４観点に係る床置型の空気調和機によれば、可動フラップが第１姿勢を取るときに吹出口の直上空間の全てを上から覆うことから、鉛直上方に逃げる空気流れを減らして、遠くまで空気流れを形成する効果を向上させることができる。
【００１３】
本発明の第５観点に係る床置型の空気調和機は、第１観点から第３観点のいずれかに係る床置型の空気調和機において、ファンは、回転軸が前後方向に延びるシロッコファンである、ものである。
【００１４】
第５観点に係る床置型の空気調和機によれば、回転軸が前後方向に延びるシロッコファンにあっては左右方向、言い換えると横方向の空気流れ成分が生じて斜め上方に吹き上がりがちになるが、ケーシング又は可動フラップの側壁によってケーシングから横斜め上方に向かう空気流れを減らすことができる。
【００１５】
本発明の第６観点に係る床置型の空気調和機は、第１観点から第４観点のいずれかに係る床置型の空気調和機において、ケーシングは、可動フラップの後方に設けられ、可動フラップが第１姿勢を取るときに、少なくとも下面の側端の中央点を含む水平面より下の部分を囲う背面壁を有する、ものである。
【００１６】
第６観点に係る床置型の空気調和機によれば、可動フラップの後方に設けられた背面壁により背面側で生じる誘引風を減らすことができ、床置型の空気調和機の後方にある例えば室内壁などのインテリアを汚れ難くすることができる。
【００１７】
本発明の第７観点に係る床置型の空気調和機は、第１観点から第５観点のいずれかに係る床置型の空気調和機において、可動フラップの第１姿勢は、下面が水平面に対して２０°で交わるときの姿勢である、ものである。
【００１８】
第７観点に係る床置型の空気調和機によれば、可動フラップの下面が水平面に対して２０°の第１姿勢を取るときに、下面の下側空間の側方のうち、少なくとも、下面の側端の中央点を含む水平面より下の部分を囲う側壁によって、ファンにより形成された上向きの空気流れのうち側方に逃げる空気を十分に減らすことができる。
【発明の効果】
【００１９】
本発明の第１観点に係る床置型の空気調和機では、ケーシング高さが高くなるのを抑制しつつ、前方斜め上方に向けて吹き出される調和空気の到達距離を伸ばすことができる。
【００２０】
本発明の第２観点に係る床置型の空気調和機では、調和空気を前方斜め上方に向けて十分に遠くに吹き出させることができる。
【００２１】
本発明の第３観点に係る床置型の空気調和機では、回動フラップの操作についての利便性が向上する。
【００２２】
本発明の第４観点に係る床置型の空気調和機では、可動フラップで全体を覆わない場合に比べて、調和空気を前方斜め上方に向けて、より遠くに吹き出させることができる。
【００２３】
本発明の第５観点に係る床置型の空気調和機では、安価なシロッコファンを用いても横方向への空気流れを減らして前方向への空気流れを増やすことができる。
【００２４】
本発明の第６観点に係る床置型の空気調和機では、背面壁によりインテリアの汚れを減らすことができる。
【００２５】
本発明の第７観点に係る床置型の空気調和機では、前方斜め上方に向けて吹き出される調和空気の到達距離を十分に伸ばすことができる。
【図面の簡単な説明】
【００２６】
【図１】第１実施形態に係る床置型の空気清浄機の一例を示す斜視図。
【図２】空気清浄機から吹き出される調和空気の室内空間における状況を説明するための模式図。
【図３】空気清浄機の平面図。
【図４】図３のＩ−Ｉ線に沿って切断された空気清浄機の上部を示す部分断面図。
【図５】図３のＩＩ−ＩＩ線に沿って切断された空気清浄機の上部を示す部分断面図。
【図６】空気清浄機の上部を側面から見た状態を示す部分側面図。
【図７】空気清浄機の上部を前方上方から見た状態を示す部分斜視図。
【図８】図７の一部を拡大して示した部分拡大斜視図。
【図９】空気清浄機に内蔵されたファンを示す分解斜視図。
【図１０】ファンの背面図。
【図１１】第２実施形態に係る空気清浄機の上部を示す部分断面図。
【図１２】第３実施形態に係る空気清浄機の上部を示す部分側面図。
【図１３】図１２の可動フラップを正面から見た状態を示す正面図。
【発明を実施するための形態】
【００２７】
＜第１実施形態＞
（１）全体構成
以下、発明の第１実施形態に係る床置型の空気調和機として、図１に示されている床置型の空気清浄機１０を例に挙げて説明する。この床置型の空気清浄機１０は、空気調和として塵埃などを除去する空気清浄を行い、さらには加湿及び／又は除湿を行う場合もある。空気清浄を行うために、空気清浄機１０のケーシング２０の中には塵埃を除去するためのエアフィルタ（図示せず）が設置されている。床置型の空気清浄機１０は、図２に示されているように、例えば室内の床ＦＬに置かれる。空気清浄機１０は、ケーシング２０と、ケーシング２０内に収納されたファン９０（図９参照）と、ケーシング２０に取り付けられた可動フラップ４０とを備えている。
【００２８】
（２）詳細構成
（２−１）ケーシング２０
ケーシング２０は、実質的に直方体状であり、図２に示されているように、床ＦＬに置かれたときに安定性の良い形状になっている。ケーシング２０は、図１及び図３に示されているように、前面２０ａ、上面２０ｂ、右側面２０ｃ、左側面２０ｄ、背面２０ｅ及び底面（図示せず）を有している。ケーシング２０は、空気清浄機１０の前面に取り付けられる前面パネル３０を含んでいる。ケーシング２０の内部には、図９に示されているファン９０が収納されている。ケーシング２０には、空調対象空間である室内空間ＲＳから空気を吸い込む吸込口２１，２２と、室内空間ＲＳに対して空気を吹き出す吹出口２３が設けられている。また、吹出口２３には、風向を調整するための可動フラップ４０が設けられている。吸込口２１は、ケーシング２０の右側面２０ｃ及び左側面２０ｄに設けられており、吸込口２２は、ケーシング２０の前側下部に設けられている。吸込口２１，２２からケーシング２０の内部に吸い込まれた空気がエアフィルタを通過して吹出口２３から吹き出される。
【００２９】
このように、吸込口２１，２２が吹出口２３よりも下方に設けられていると、図２に示されているように、吹出口２３から天井ＣＬに向かって吹き出された調和空気によって室内空間ＲＳを循環する気流ＡＦを形成することができる。特に、吸込口２１，２２がケーシング２０の下部に設けられているときには、気流ＡＦによって運ばれてきた塵埃を吸込口２１，２２からケーシング２０の内部に取り込んでエアフィルタで除去し易くなる。ここでは、吸込口２１，２２が右側面２０ｃ、左側面２０ｄ及び前側下部に設けられている場合について説明するが、吸込口は側面と前面の両方に設けられている必要はなく、側面又は前面のいずれかに設けられていてもよい。
【００３０】
図３には、空気清浄機１０を上方から見た状態が示されている。ケーシング２０の上部前面側には操作パネル３１が配置されている。操作パネル３１には、操作を行うための種々のボタン３１ａが設けられている。図３に示されているように、吹出口２３は、ケーシング２０の上部背面側に設けられている。図３に示されている吹出口２３は、可動フラップ４０によって閉じられた状態になっている。図３のＩ−Ｉ線に沿って空気清浄機１０の上部を切断した断面形状が図４に示されている。また、図５には、図３のＩＩ-ＩＩ線に沿って空気清浄機１０の上部を切断した断面形状が示されている。図６には、可動フラップ４０が開かれている空気清浄機１０の上部を左側から見た状態が示され、図７には、可動フラップ４０が開かれている空気清浄機１０の上部を前方斜め上から見た状態が示されている。図８には、図７に示されている空気清浄機１０の右上部が拡大して示されている。
【００３１】
吹出口２３は左右に長く延びており、吹出口２３については、左右方向が長手方向、前後方向が短手方向になる。吹出口２３には、ファン９０から延びる吹出通路２８が接続されている。吹出口２３においては、吹出通路２８から水平方向に広がる縁切り部２９が形成されている。縁切り部２４は、右側の縁切り部２４ａの方が左側の縁切り部２４ｂよりも長くなるように形成されている。縁切り部２４ａ，２４ｂから立ち上がる立上り部２５に、可動フラップ４０の回転軸４１が取り付けられている。回転軸４１は、吹出口２３の後方に位置する。
【００３２】
吹出口２３の周囲のうちの左右には上部縁切り面２６，２７がそれぞれ形成されている。これら上部縁切り面２６，２７の端部から右側の側壁５１及び左側の側壁５２が立ち上がっている。右側の側壁５１は、右側面２０ｃの上部を形成し、左側の側壁５２は、左側面２０ｄの上部を形成している。右側面２０ｃ及び左側面２０ｄの上部を側壁５１，５２とすることにより、ケーシング２０の左右方向の幅が広がらない構成となっている。さらにケーシング２０の左右方向の幅を縮めたいときには、上部縁切り面２６，２７の無い構成とすることもできる。
【００３３】
図５に示されているように、吹出口２３の前側では、吹出通路２８から前壁５３が吹出通路２８から連続して延びている。前壁５３は、鉛直方向に対して前にθ１だけ傾いている。ここでは、θ１＝１０度である。この傾きθ１は、例えば０〜２０度の範囲内の適当な値に設定される。可動フラップ４０が閉じられても吹出口２３の全体を可動フラップ４０では覆いきれず、可動フラップ４０が閉じられた状態で可動フラップ４０の上端４２と前壁５３との間には隙間８１が生じる。吹出通路２８の背面側は、吹出口２３の縁切り部２４ｃに繋がっている。この縁切り部２４ｃの後端部から背面壁５４が立ち上がっている。背面壁５４の高さは側壁５１，５２の高さと同じである。背面壁５４の高さと側壁５１，５２の高さとを異ならせてもよいが、同じ高さに揃える方がケーシングの外観をすっきりとした外観にまとめ易くなる。
【００３４】
（２−２）可動フラップ４０
可動フラップ４０は、ファン９０（図９参照）が形成した上向きの空気流れを前方に向ける下面４０ａを有している。この可動フラップ４０は、１枚である。可動フラップ４０は、前後に回動可能に吹出口２３に配置されている。可動フラップ４０は、図５に二点差線で示されているように、回転軸４１の周りに、実線で示された位置から前後に回動することができる。可動フラップ４０の回動は、手動としてもよく、あるいはモータなどのアクチュエータを用いて自動で行わせてもよい。
【００３５】
ケーシング２０の側壁５１，５２は、図６の状態を可動フラップ４０の下面４０ａが水平面に対して鋭角に交わる所定の第１姿勢を取っている状態とすると、下面４０ａの下側空間ＳＰ１の側方のうち、少なくとも、下面４０ａの側端の中央点ＣＰ１を含む水平面より下の部分（斜線で示された領域Ａｒ１）を囲っている。ここで鋭角の角度θ２は、例えば２０度である。側壁５２が存在することにより、また側壁５２及び上部縁切り面２７が存在することにより、図４の矢印Ａｗ１，Ａｗ２で示されたような誘引風の発生が抑えられ、誘引風に吹き出しエネルギーを奪われて調和空気の到達距離が減るといったことが抑制される。
【００３６】
同様に、ケーシング２０の背面壁５４は、図６の第１姿勢を取るとき、下面４０ａの下側空間ＳＰ１の側方のうち、少なくとも、下面４０ａの側端の中央点ＣＰ１を含む水平面より下の部分（斜線で示された領域Ａｒ１）を囲っている。例えば、背面壁５４が存在することにより、また背面壁５４及び上部縁切り面２７が存在することにより、図５の矢印Ａｗ３，Ａｗ４で示されたような誘引風の発生が抑えられ、誘引風に吹き出しエネルギーを奪われて調和空気の到達距離が減るといったことが抑制される。また、誘引風によって塵埃などが運ばれて室内壁ＷＬが汚れるといったことが抑制される。
【００３７】
（２−３）ファン９０
図９及び図１０に示されているファン９０は、ケーシング２０の内部に収納されている。図９及び図１０には、ファン９０を空気清浄機１０の背面側から見た状態が示されている。ファン９０は、背面側から見て円形のファンロータ９１を有しており、ファンロータ９１の中心にある回転軸９２が前後に延びている。ファンロータ９１を取り巻く円周上に周壁９３が形成され、ファンロータ９１と周壁９３との間が気流ＡＦ１の通路になっている。右上方で周壁９３が途切れており、ファンロータ９１の上方において舌部９４が周壁に接続されている。ファン出口通路９５は、周壁９３が途切れるファンロータ９１の右上方から左に向かって形成されている。そのため、ファン出口通路９５は左に傾いている。このファン出口通路９５は、格子部材９６を介して吹出通路２８に繋がっている。ファン出口通路９５が左に傾いていることから、ファン出口通路９５を通る気流ＡＦ２も真っ直ぐ上に吹き出さずに左に傾いており、さらには吹出通路２８を通る気流ＡＦ３もファン出口通路９５に近い所では左に傾いている。空気を清浄化するためのエアフィルタ（図示せず）は、吸込口２１，２２とファン９０との間に配置されており、ファン９０から吹出通路２８に流れる気流ＡＦ１〜ＡＦ３は清浄化された調和空気の流れである。
【００３８】
（３）空気清浄機１０の送風
ファン９０は、ファンロータ９１の回転数を変更可能に構成されている。その結果、空気清浄機１０の風量が変更できるように構成されており、ユーザは、例えば弱風モード、中風モード及び強風モードなど風量設定の異なるモードを操作パネル３１のボタン３１ａなどを使って選択することができる。
【００３９】
空気清浄機１０の停止時には、ポジションＰ４（図５参照）まで可動フラップ４０を回動させて、吹出口２３の大部分を可動フラップ４０で塞ぐことができる。運転時において、空気清浄機１０から吹き出される調和空気を真上に導くときは、可動フラップ４０が図５のポジションＰ１まで回動させられる。吹き出される調和空気を前方斜め上方に向け、天井ＣＥの遠くの位置まで調和空気を到達させるときは可動フラップ４０は、例えばポジションＰ２，Ｐ３に回動させられる。可動フラップ４０がこのとき選択する角度は、室内空間ＲＳの大きさや形状に応じて適宜選択されるものであるが、水平面に対して例えば１０〜６０度の範囲から適切に選択される。さらに好ましくは、水平面に対して１５度以上４０度以下の範囲から選択される。可動フラップ４０の角度は、手動で又は自動的に調整される。
【００４０】
＜第２実施形態＞
（４）全体構成と可動フラップ
第２実施形態に係る床置型の空気清浄機１０Ａの構成例を図１１に示す。第２実施形態に係る床置型の空気清浄機１０Ａが第１実施形態の空気清浄機１０と異なる点は、第２実施形態に係る床置型の空気清浄機１０Ａの備える可動フラップ４０Ａが第１実施形態に係る床置型の空気清浄機１０の備える可動フラップ４０よりも大きく形成されている点である。可動フラップ４０Ａは、上方から見て、第１姿勢（ポジションＰ３）を取るときに吹出口２３の直上空間の全てを上から覆うように構成されている。空気清浄機１０Ａにおいて、第２姿勢は、図１１のポジションＰ１に可動フラップ４０Ａが回動させられた状態である。なお、外観を良くするために、可動フラップ４０Ａが吹出口２３を塞ぐポジションＰ４まで回動した状態で可動フラップ４０Ａがケーシング２０Ａの上面２０ｂと面一になるように構成されることが好ましい。ケーシング２０Ａは、上面２０ｂの形状以外は、ケーシング２０と同様の構成を持っている。
【００４１】
＜第３実施形態＞
（５）全体構成と可動フラップ
第３実施形態に係る床置型の空気清浄機１０Ｂの構成例を図１２及び図１３に示す。図１３には、図１２に示されている状態の可動フラップ４０Ｂを正面から見た状態の可動フラップ４０Ｂが示されている。第３実施形態に係る床置型の空気清浄機１０Ｂが第１実施形態の空気清浄機１０と異なる点は、第３実施形態に係る床置型の空気清浄機１０Ｂの備える可動フラップ４０Ｂが第１姿勢を取るときに、下面４０ａの下側空間ＳＰ２の側方のうち、少なくとも、下面４０ａの側端の中央点ＣＰ２を含む水平面より下の部分(斜線で示された領域Ａｒ１)を囲う側壁４５，４６を有している点である。図１２及び図１３に示されているような側壁４５，４６を有する断面コ字型の可動フラップ４０Ｂを用いれば、上記第１実施形態と同様に、側方に逃げる調和空気を減らして天井ＣＥの遠い位置まで調和空気を到達させることができる。第３実施形態の場合には、ケーシング２０Ｂのように、ケーシング２０が有していた側壁５１，５２を有してなくてもよい。
【００４２】
（６）変形例
（６−１）変形例Ａ
上記第１実施形態乃至第３実施形態では、床置型の空気調和機として床置型の空気清浄機１０，１０Ａ，１０Ｂを例に挙げて説明したが、本発明が適用できる床置型の空気調和機は、床置型の空気清浄機１０，１０Ａ，１０Ｂに限られるものではない。本発明が適用できる床置型の空気調和機としては、例えば、床置型の加湿機、床置型の除湿機、床置型の暖房装置及び床置型の冷房装置がある。
【００４３】
（６−２）変形例Ｂ
上記第１実施形態乃至第３実施形態では、可動フラップ４０，４０Ａ，４０Ｂが１枚である場合について説明したが、前後に複数枚の可動フラップを並べるように設けてもよい。複数枚の可動フラップは、吹出口２３を塞ぐときに重なるように配置されてもよく、重ならないように配置されてもよい。
【００４４】
（６−３）変形例Ｃ
上記第１実施形態乃至第３実施形態では、ケーシング２０又は可動フラップ４０Ｂが側壁５１，５２，４５，４６によって下面４０ａの下側空間ＳＰ１の側方のうち、下面４０ａの側端の中央点ＣＰ１を含む水平面より下の部分（斜線の領域Ａｒ１）を囲う場合について説明したが、ケーシング２０と可動フラップ４０Ｂの両方を用いるなどして、ケーシング及び可動フラップが両方の側壁によって下面の下側空間の側方のうち、下面の側端の中央点を含む水平面より下の部分を囲うように構成してもよい。
【００４５】
（７）特徴
（７−１）
以上説明したように床置型の空気調和機である床置型の空気清浄機１０は、可動フラップ４０の下面４０ａが水平面に対して鋭角に交わる所定の第１姿勢として、角度２０度（＝θ２）のときの姿勢を例に挙げて説明した。この第１姿勢（θ２＝２０°）のとき、下面４０ａの下側空間ＳＰ１の側方のうち、下面４０ａの側端の中央点ＣＰ１を含む水平面より下の部分（図６の斜線の領域Ａｒ１）を囲う側壁５１，５２によって、ファン９０により形成された上向きの空気流れのうち側方に逃げる空気が減って、調和空気を天井ＣＥの遠くの位置まで到達させることができている。上記第１乃至第３実施形態では、第１姿勢として可動フラップ４０が２０度で水平面と交わる姿勢を例に示したが、第１姿勢は、例えば１０度以上６０度以下の範囲から選ばれてもよい。第１姿勢は、２０度以上３０度以下の範囲から選ばれてもよい。上記第１乃至第３実施形態では、第２姿勢として、可動フラップ４０がポジションＰ１のように、可動フラップ４０の下面４０ａが実質的に鉛直面に沿って上向きに立ち上がっている場合を例に挙げて説明した。このポジションＰ１において、可動フラップ４０の３分の１以上が側壁５１，５２の上端よりも高い位置にくるように構成されている。その結果、ケーシング２０の高さを抑えてコンパクト化し易くなっている。第２姿勢としては、鉛直面に沿って立ち上がっている場合に限られるものではなく、第１姿勢よりも水平面に対する角度が大きく、可動フラップ４０の可動限界の中の最も角度が大きい場合とすればよい。第２姿勢においては可動フラップ４０ができるだけ多く側壁５１，５２よりも突出することが望ましいが、例えば可動フラップ４０の側端の長さの４分の１以上であってもよい。以上のことについては、第２実施形態の可動フラップ４０Ａ及び第３実施形態の可動フラップ４０Ｂの場合も同様である。
【００４６】
（７−２）
上記第１実施形態乃至第３実施形態において、１枚の可動フラップ４０，４０Ａ，４０Ｂだけでファン９０が形成した上向きの空気流れに対応するように構成されている場合、複数のフラップでファンが吹き出す空気を前方に導く場合に比べて可動フラップ１枚当たりに調和空気の沿う量が多くなる。その結果、可動フラップ４０，４０Ａ，４０Ｂが１枚の場合、前方に強く吹き出させることができ、前方への空気流れの到達距離を伸ばし易くなって天井ＣＥの遠いところ、つまり室内空間ＲＳの端まで調和空気を到達させることができる。
【００４７】
（７−３）
第１実施形態の可動フラップ４０は、吹出口２３を塞いだときに可動フラップ４０の上端４２と吹出口２３との間に隙間８１（図５参照）ができる長さに設定されている。この隙間８１から指を入れて可動フラップ４０を回動させて開け閉めすることができ、特に可動フラップ４０を手動で回動させる場合に操作を行い易くなり、利便性が向上する。また、可動フラップ４０が自動的に回動する場合でも、例えば製造時やメンテナンス時に手で可動フラップ４０を操作しなければならない場合があり、そのような場合に便利である。
【００４８】
（７−４）
第３実施形態において説明したように、可動フラップ４０Ｂが第１姿勢を取るときに吹出口２３の直上空間の全てを上から覆うことから、例えば第１実施形態の可動フラップ４０と比べて鉛直上方に逃げる空気流れを減らして、遠くまで空気流れを形成する効果を向上させられている。
【００４９】
（７−５）
図９及び図１０に示されているような回転軸９２が前後方向に延びるシロッコファンにあっては、ケーシング２０の左右方向、言い換えると横方向の空気流れ成分が生じて斜め上方に吹き上がりがちになる。ところが、ケーシング２０又は可動フラップ４０Ｂの側壁５１，５２及び／又は側壁４５，４６によってケーシング２０，２０Ａから横斜め上方に向かう空気流れを減らすことができている。
【００５０】
（７−６）
第１実施形態及び第２実施形態の可動フラップ４０，４０Ａの後方に設けられた背面壁５４により背面側で生じる誘引風を減らすことができ、床置型の空気調和機である床置型の空気清浄機１０の後方にある例えば室内壁などのインテリアを汚れ難くすることができている。
【符号の説明】
【００５１】
１０，１０Ａ，１０Ｂ  床置型の空気清浄機（床置型の空気調和機の例）
２０，２０Ａ，２０Ｂ  ケーシング
４０，４０Ａ，４０Ｂ  可動フラップ
４５，４６，５１，５２  側壁
９０  ファン
【先行技術文献】
【特許文献】
【００５２】
【特許文献１】特開２０１６−５９８５９号公報
【図１】
2018035967.tif 000003
【図２】
2018035967.tif 000004
【図３】
2018035967.tif 000005
【図４】
2018035967.tif 000006
【図５】
2018035967.tif 000007
【図６】
2018035967.tif 000008
【図７】
2018035967.tif 000009
【図８】
2018035967.tif 000010
【図９】
2018035967.tif 000011
【図１０】
2018035967.tif 000012
【図１１】
2018035967.tif 000013
【図１２】
2018035967.tif 000014
【図１３】
2018035967.tif 000015